(57)【要約】【課題】検出精度を高めたレール波状摩耗検出装置の提供。【解決手段】レール２５上を走行する鉄道車両１０の走行時間に対して振動加速度または騒音の少なくとも一方を測定して時間軸データＤ１を取得する測定装置である加速度センサ１１と、時間軸データＤ１をハイパスフィルタ処理し、絶対値処理し、ローパスフィルタ処理して高周波振動データＤ２とし、高周波振動データＤ２を空間軸データＤ３に変換する演算装置であるＣＰＵ１３ａと、を備える。【選択図】図３
2019093892.tif 000002
【特許請求の範囲】
【請求項１】
レール上を走行する鉄道車両の走行時間に対して振動加速度または騒音の少なくとも一方を測定して時間軸データを取得する測定装置と、
前記時間軸データをハイパスフィルタ処理し、絶対値処理し、ローパスフィルタ処理して高周波振動データとし、前記高周波振動データを空間軸データに変換する演算装置と、を備えること、
を特徴とするレール波状摩耗検出装置。
【請求項２】
レール上を走行する鉄道車両の走行時間に対して振動加速度または騒音の少なくとも一方を測定装置によって測定することで時間軸データを取得し、
演算装置によって、
前記時間軸データをハイパスフィルタ処理し、絶対値処理し、ローパスフィルタ処理して高周波振動データとし、
前記高周波振動データを空間軸データに変換し、
前記空間軸データに基づいてレールの波状摩耗の発生区間を決定すること、
を特徴とするレール波状摩耗検出方法。
【発明の詳細な説明】
【技術分野】
【０００１】
本発明は、レール波状摩耗検出装置において、波状摩耗の発生の検知精度を高める技術に関する。
【背景技術】
【０００２】
従来、鉄道車両を運行するにあたって、レールの摩耗によって車両に振動が発生してしまうような問題があった。この一因としてレール波状摩耗と呼ばれる摩耗状態があり、このレール波状摩耗が生じたレールの上を車両が通過すると、大きな騒音や振動を発生することになる。特に都市部の鉄道や地下鉄などでは大きな騒音や振動が問題となるため、その適切な管理が求められている。また、レール波状摩耗は車輪からレールに伝わる荷重変動の増加にも繋がるため、早期に発見し対策することが求められている。
【０００３】
こうしたことから、近年、レール波状摩耗の検出方法について様々な検討がなされてきた。しかしその対策の多くは、時間周波数軸上でフィルタ処理などの信号処理を行うものであった。また、レール上を走行する鉄道車両の騒音からレールの波状摩耗を検出する試みも行われている。しかしながら、実際の鉄道車両の運行時には、様々な周波数成分が含まれているため、検出精度の点で問題があった。
【０００４】
特許文献１には、レール波状摩耗検出方法、及びレール波状摩耗検出システムに関する技術が開示されている。レール上を走行する鉄道車両上で鉄道車両の走行時間に対して振動加速度及び騒音の少なくとも一方を測定して時間軸データを生成する。そして、時間軸データを鉄道車両の走行距離に関連づけられた空間軸データに変換し、空間軸データを空間周波数軸上でバンドパスフィルタ処理をしてフィルタ処理データを生成する。そして、フィルタ処理データに基づいてレールの波状摩耗の発生区間を決定する。こうすることで、レール波状摩耗の検出精度の向上を図ることが可能である。
【先行技術文献】
【特許文献】
【０００５】
【特許文献１】特開２０１２−２１７９０号公報
【発明の概要】
【発明が解決しようとする課題】
【０００６】
しかしながら、特許文献１に記載の技術であってもレール波状摩耗の波高値が低い場合、振動加速度を用いた方法では検出精度を高める事が困難である。レール波状摩耗はなるべく早期に発見し、対策を講じることが必要とされるが、レール波状摩耗の波高値が低い場合には、他の振動などに紛れ易く発見が遅れるケースがある。
【０００７】
そこで、本発明はこの様な課題を解決する為に、検出精度を高めたレール波状摩耗検出装置、及びレール波状摩耗検出方法の提供を行うことを目的とする。
【課題を解決するための手段】
【０００８】
前記課題を解決するために、本発明の一態様によるレール波状摩耗検出装置は、以下のような特徴を有する。
【０００９】
（１）レール上を走行する鉄道車両の走行時間に対して振動加速度または騒音の少なくとも一方を測定して時間軸データを取得する測定装置と、前記時間軸データをハイパスフィルタ処理し、絶対値処理し、ローパスフィルタ処理して高周波振動データとし、前記高周波振動データを空間軸データに変換する演算装置と、を備えること、を特徴とする。
【００１０】
上記（１）に記載の態様により、レール波状摩耗の検出精度を高める事ができる。これは、測定装置によって取得した時間軸データに対してハイパスフィルタ処理、絶対値処理、ローパスフィルタ処理を順に行うことで、時間軸データに含まれる高周波成分を抽出することが可能となり、波状摩耗の波高値が低い場合であってもレール波状摩耗の周期成分を検出しやすくなる。その結果、波状摩耗の検出性能を向上することに貢献出来る。
【００１１】
また、前記課題を解決するために、本発明の別の態様によるレール波状摩耗検出方法は、以下のような特徴を有する。
【００１２】
（２）レール上を走行する鉄道車両の走行時間に対して振動加速度または騒音の少なくとも一方を測定装置によって測定することで時間軸データを取得し、演算装置によって、前記時間軸データをハイパスフィルタ処理し、絶対値処理し、ローパスフィルタ処理して高周波振動データとし、前記高周波振動データを空間軸データに変換し、前記空間軸データに基づいてレールの波状摩耗の発生区間を決定すること、を特徴とする。
【００１３】
上記（２）に記載の態様により、（１）に記載のレール波状摩耗検出装置と同様に、レール波状摩耗の検出精度を高める事ができる。
【図面の簡単な説明】
【００１４】
【図１】本実施形態の、鉄道車両の模式断面図である。
【図２】本実施形態の、レール波状摩耗検出装置の電気的構成を説明するブロック図である。
【図３】本実施形態の、データ処理の手順についてのフロー図である。
【図４】本実施形態の、データ処理手順を示すブロック図である。
【図５】本実施形態の、データ処理された信号のイメージを示すグラフである。
【図６】従来技術の、バンドパスフィルタ処理をした信号のデータを示すグラフである。
【図７】本実施形態の、信号処理したデータを示すグラフである。
【発明を実施するための形態】
【００１５】
まず、本発明の実施形態について図面を用いて説明を行う。図１に、本実施形態の、鉄道車両の模式断面図を示す。図２に、レール波状摩耗検出装置１００の電気的構成についてブロック図を示す。鉄道車両１０は、図１に示すように、乗客などを乗せるための車体２０と、空気バネ２１を介して車体２０を支える台車２３と、台車２３に軸バネ２４を介して設けられレール２５上を走るための車輪２２とを有する。
【００１６】
レール波状摩耗検出装置１００は、図２に示すように、加速度センサ１１と、マイク１２と、処理装置１３と、出力装置１４と、入出力ポート１５を有する。加速度センサ１１は、車体２０に設置されて振動加速度を測定するものである。マイク１２は、騒音計などを用いたレール２５と車輪２２の接触に起因する車内騒音を集音するものである。出力装置１４は、画像出力装置などを用いた乗務員に情報を伝達するためのものである。ただし、液晶パネルなどの画像出力装置に限定される必要は無く、例えばプリンタなどを用いて紙面に印刷するような出力装置でも良い。
【００１７】
処理装置１３は、プログラムを実行するためのＣＰＵ１３ａ、プログラムを記憶するためのＲＯＭ１３ｂ、各種データを一時的に記憶するＲＡＭ１３ｃを備えている。そして、データを中継する入出力ポート１５を介して、処理装置１３と、加速度センサ１１、マイク１２、出力装置１４が接続されている。
【００１８】
図３に、データ処理の手順についてフロー図に示す。図４に、データ処理手順を表すブロック図を示す。車両から計測するデータは、加速度センサ１１から取得する振動加速度データだけでなく、マイク１２から取得する車内騒音データを用いても良い。両方のデータを用いるとより精度を上げられるので好ましいが、ここでは加速度センサ１１からのデータを用いる例を説明している。マイク１２からのデータであっても流れは同じである。
【００１９】
Ｓ１１では、サンプリングデータ取得を行う。車体２０に設けられた加速度センサ１１から、車体２０に発生する振動加速度を取得する。データは処理装置１３に備えられたＲＡＭ１３ｃに保存される。得られたサンプリングデータは、鉄道車両１０の走行時間に対して発生する振動加速度を示した時間軸データＤ１となる。Ｓ１２では、ハイパスフィルタ処理を行う。取得した時間軸データＤ１は、処理装置１３のＣＰＵ１３ａによってハイパスフィルタ処理が行われ、ハイパスフィルタ処理データが得られる。
【００２０】
Ｓ１３では、絶対値処理を行う。処理装置１３のＣＰＵ１３ａにて、ハイパスフィルタ処理されたハイパスフィルタ処理データに対して絶対値処理が行われ、絶対値処理データが得られる。Ｓ１４では、ローパスフィルタ処理を行う。処理装置１３のＣＰＵ１３ａにて、絶対値処理された絶対値処理データに対してローパスフィルタ処理が行われ、ローパスフィルタ処理データが得られる。この一連の処理が行われた結果、高周波振動データＤ２が得られる。
【００２１】
Ｓ１５では、空間軸データＤ３に変換を行う。上記処理が施されてＲＡＭ１３ｃに格納された高周波振動データＤ２を、処理装置１３のＣＰＵ１３ａにて空間軸データに変換する。Ｓ１６では、波状摩耗周期成分を抽出する。空間軸データＤ３を用いて波状摩耗周期を抽出することで、レール２５の波状摩耗の検出を行うことができる。そして処理を終了する。
【００２２】
なお、検出された波状摩耗周期は、車体２０内に備えられた出力装置１４に表示されて、時間軸データやＧＰＳ等を用いた位置データを参照してレール２５に発生した波状摩耗の位置を特定する。或いは、鉄道車両１０から外部にデータを転送して図示しない外部のデータセンターにて波状摩耗を特定しても良い。図３のフローに従って得られるデータに関してブロック図として説明したのが図４であり、時間軸データＤ１をハイパスフィルタＦ１で処理した後、ハイパスフィルタ処理データを得る。
【００２３】
そして、ハイパスフィルタ処理データを絶対値フィルタＦ２で処理した後、絶対値処理データを得る。そして、絶対値処理データをローパスフィルタＦ３で処理した後、ローパスフィルタ処理データを得る。ハイパスフィルタＦ１乃至ローパスフィルタＦ３の一連の処理により、高周波振動データＤ２が得られる。これを、空間軸データＤ３に変換する。これらの図４で示された処理はすべてＣＰＵ１３ａの内部で計算処理される。
【００２４】
本実施形態のレール波状摩耗検出装置１００は上記構成であるので、以下に説明するような作用及び効果を奏する。
【００２５】
まず、本実施形態のレール波状摩耗検出装置１００によって波状摩耗の検出精度の向上を図ることができる。これは、本実施形態のレール波状摩耗検出装置１００が、レール２５上を走行する鉄道車両１０の走行時間に対して振動加速度または騒音の少なくとも一方を測定して時間軸データＤ１を取得する測定装置である加速度センサ１１またはマイク１２と、時間軸データＤ１をハイパスフィルタＦ１＋絶対値フィルタＦ２＋ローパスフィルタＦ３で処理して高周波振動データＤ２を得て、高周波振動データＤ２を空間軸データＤ３に変換する演算装置であるＣＰＵ１３ａと、を備えているためである。
【００２６】
また、レール２５上を走行する鉄道車両１０の走行時間に対して振動加速度を加速度センサ１１によって、または騒音をマイク１２によって測定することで時間軸データＤ１を取得し、ＣＰＵ１３ａによって、時間軸データＤ１をハイパスフィルタＦ１＋絶対値フィルタＦ２＋ローパスフィルタＦ３で処理して高周波振動データＤ２を得て、高周波振動データＤ２より空間軸データＤ３に変換し、前記空間軸データに基づいてレールの波状摩耗の発生区間を決定するレール波状摩耗検出方法を用いるためである。
【００２７】
図５に、データ処理された信号のイメージをグラフに示す。上から生データである時間軸データＤ１の信号と、ハイパスフィルタＦ１及び絶対値フィルタＦ２で処理された信号と、ローパスフィルタＦ３で処理された信号と、空間軸データを示す信号をそれぞれグラフに示している。このような高周波成分の繰り返し周期抽出処理が行われることで、波状摩耗周期が視覚的に把握し易くなる。図６に、従来の方法で処理した実際の信号をグラフに示す。図７に、本実施形態の信号処理した信号をグラフに示す。縦軸が信号の振幅を示す正規化値を示し、横軸に走行距離を示している。この様に、実際に計測したデータにおいても、図６に示すような従来の振動加速度のデータをバンドパスフィルタ処理する方法と比べ、図７に示すように本実施形態の信号処理をしたものの方がハッキリとした波状摩耗区間を決定することができる。
【００２８】
この様に、鉄道車両１０に本実施形態のレール波状摩耗検出装置１００を備えることで、レール２５の点検を日常的に行うことができ、レール波状摩耗の波高値が低い場合であっても波状摩耗の検出精度を向上させることが期待できるため、波状摩耗の早期発見に貢献することが可能である。このことは鉄道車両１０が生じる騒音や振動を低減する他、レール２５の劣化を抑制する効果も見込める。レール２５のメンテナンスの手間も波状摩耗を早期に発見できることで、低減することが可能となる。
【００２９】
以上、本発明に係るレール波状摩耗検出装置１００の実施形態を説明したが、本発明はこれに限定されるわけではなく、その趣旨を逸脱しない範囲で様々な変更が可能である。
【符号の説明】
【００３０】
１０      鉄道車両
１１      加速度センサ
１２      マイク
１３      処理装置
１３ａ      ＣＰＵ
１３ｂ      ＲＯＭ
１３ｃ      ＲＡＭ
１４      出力装置
１５      入出力ポート
２０      車体
２１      空気バネ
２２      車輪
２３      台車
２４      軸バネ
２５      レール
１００      レール波状摩耗検出装置
Ｄ１      時間軸データ
Ｄ２      高周波振動データ
Ｄ３      空間軸データ
Ｆ１      ハイパスフィルタ
Ｆ２      絶対値フィルタ
Ｆ３      ローパスフィルタ
【図１】
2019093892.tif 000003
【図２】
2019093892.tif 000004
【図３】
2019093892.tif 000005
【図４】
2019093892.tif 000006
【図５】
2019093892.tif 000007
【図６】
2019093892.tif 000008
【図７】
2019093892.tif 000009